(57)【要約】【課題】梯子の長さを延長可能としつつ、その立設安定性を高めた脚立を提供する。【解決手段】第一梯子１と、第一梯子１との間で開閉可能に連設された第二梯子２と、第一梯子１の下端に連設され、この下端を回動中心として回動することによって、第一梯子１の下端と連続して同一軸上の下向きに配置される開状態と、第一梯子１に沿うように収納される閉状態のいずれかの状態とすることが可能な第一延長梯子３と、を備えた脚立を構成する。【選択図】図１
0003206598.tif 000002
【実用新案登録請求の範囲】
【請求項１】
第一梯子（１）と、
前記第一梯子（１）と開閉可能に連設された第二梯子（２）と、
前記第一梯子（１）の下端に連設され、この下端を回動中心として回動することによって、前記第一梯子（１）の下端と連続して同一軸上の下向きに配置される開状態と、前記第一梯子（１）に沿うように収納される閉状態のいずれかの状態とすることが可能な第一延長梯子（３）と、
を備えた脚立。
【請求項２】
前記開状態から前記閉状態とする際に、前記第一延長梯子（３）が、前記第一梯子（１）と前記第二梯子（２）との間に収納される向きに回動する請求項１に記載の脚立。
【請求項３】
前記開状態において前記第一梯子（１）と前記第一延長梯子（３）との間に介在して、前記第一延長梯子（３）の回動を阻止する留め具（１２）をさらに備えた請求項１又は２に記載の脚立。
【請求項４】
前記第二梯子（２）の下端に連設され、この下端を回動中心として回動することによって、前記第二梯子（２）の下端と連続して同一軸上の下向きに配置される開状態と、前記第二梯子（２）に沿うように収納される閉状態のいずれかの状態とすることが可能な第二延長梯子（４）をさらに備えた請求項１から３のいずれか１項に記載の脚立。
【請求項５】
前記第一梯子（１）と前記第二梯子（２）の長さが同じであって、かつ、前記第一延長梯子（３）と前記第二延長梯子（４）の長さが異なる請求項４に記載の脚立。
【考案の詳細な説明】
【技術分野】
【０００１】
この考案は、脚立に関し、特に、傾斜地での使用に好適な脚立に関する。
【背景技術】
【０００２】
植木の剪定作業や果樹園における収穫作業等の高所作業においては、脚立を用いることにより、その高所作業をスムーズに行うことができる。一般的に用いられる脚立は、複数の踏桟が設けられた一対の梯子を側面視三角形状に開くことによって地面に立設される。この脚立は、平地に立設したときに安定するように、一対の梯子は同じ長さとなっている。このため、山の斜面にある果樹園等のように地面が傾斜している場所では、この地面に立設された脚立もその傾斜に伴って傾斜し、安定性が損なわれる問題がある。
【０００３】
そこで、例えば、特許文献１においては、各脚（本願において支柱に相当）と同軸に下部脚部材を突出・収納自在に内挿した構成を採用し、地面の傾斜に合わせて各脚の長さを調節し得るようにしている。各脚にはロック機構が設けられており、下部脚部材は所定の長さで固定される（本文献の段落０００８、図１等参照）。また、特許文献２においては、本体（脚部）にスライド溝を設け、このスライド溝にスライド可能にスライド部を設けた構成を採用している。本体にはストッパ爪、スライド部にはこのストッパ爪に噛み合うストッパがそれぞれ形成されており、スライド部の本体からの突出長さを所定の長さで固定し得るようになっている（本文献の段落０００５、図１から図３参照）。
【先行技術文献】
【特許文献】
【０００４】
【特許文献１】特開２００５−６１０３３号公報
【特許文献２】特開２００６−２９０５３号公報
【考案の概要】
【考案が解決しようとする課題】
【０００５】
特許文献１、２に示す脚立においては、脚に対して下部脚部材（スライド部）を突出させて、傾斜地において脚立を安定的に立設させるものであるが、この立設の際に、下部脚部材（スライド部）を脚に収納する向きの力が作用する。下部脚部材（スライド部）はロック機構（ストッパ）によって不用意に脚に収納されないようになっているが、このロック機構（ストッパ）に不具合が生じた場合、脚立の立設安定性が損なわれる問題がある。
【０００６】
そこで、この考案は、梯子の長さを延長可能とした脚立において、その立設安定性を高めることを課題とする。
【課題を解決するための手段】
【０００７】
上記の課題を解決するため、この考案においては、第一梯子と、前記第一梯子と開閉可能に連設された第二梯子と、前記第一梯子の下端に連設され、この下端を回動中心として回動することによって、前記第一梯子の下端と連続して同一軸上の下向きに配置される開状態と、前記第一梯子に沿うように収納される閉状態のいずれかの状態とすることが可能な第一延長梯子と、を備えた脚立を構成した。
【０００８】
第一梯子に対して第一延長梯子を開状態として脚立を立設した場合、第一梯子と第二梯子との間の開き角の大きさにもよるが、脚立及びその使用者の自重は、主に第一延長梯子を介して第一梯子まで同軸に作用し、第一梯子に対して第一延長梯子を回動させる方向の自重成分は小さい。このため、この自重によって、第一梯子に対して第一連設部材が回動するのを防止して、脚立を安定的に立設することができる。
【０００９】
前記構成においては、前記開状態から前記閉状態とする際に、前記第一延長梯子が、前記第一梯子と前記第二梯子との間に収納される向きに回動するように構成するのが好ましい。上述したように、脚立及びその使用者の自重は、主に第一梯子及び第一延長梯子と同軸に作用するが、第一梯子と第二梯子との間の開き角の大きさに対応して、第一梯子に対して第一延長梯子を外向きに回動させる自重成分も生じる。この構成のように、第一延長梯子の収納時の回動方向を第二梯子に向かう方向に限定することによって、この第一延長梯子を外向きに回動させる自重成分が作用したとしても、この第一延長梯子の回動を阻止して、脚立の安定した立設状態を維持することができる。
【００１０】
前記各構成においては、前記開状態において前記第一梯子と前記第一延長梯子との間に介在して、前記第一延長梯子の回動を阻止する留め具をさらに備えた構成とするのが好ましい。このように、留め具を設けることにより、第一延長梯子の開状態を安定的に維持することができる。
【００１１】
前記各構成においては、前記第二梯子の下端に連設され、この下端を回動中心として回動することによって、前記第二梯子の下端と連続して同一軸上の下向きに配置される開状態と、前記第二梯子に沿うように収納される閉状態のいずれかの状態とすることが可能な第二延長梯子をさらに備えた構成とするのが好ましい。このように第一延長梯子とともに第二延長梯子を設けることにより、第一延長梯子及び第二延長梯子の両方を開状態とした場合、第一延長梯子又は第二延長梯子のいずれか一方を開状態かつ他方を閉状態とした場合、第一延長梯子及び第二延長梯子の両方を閉状態とした場合、の種々の形態を実現することができ、様々な傾斜状態の斜面に柔軟に対応することが可能となる。
【００１２】
この第二延長梯子を設けた構成においては、前記第一梯子と前記第二梯子の長さが同じであって、かつ、前記第一延長梯子と前記第二延長梯子の長さが異なる構成とするのが好ましい。このようにすれば、第一延長梯子又は第二延長梯子のいずれを開状態とするかによって、一対の梯子の長さの差を変更することができ、様々な傾斜状態の斜面への対応の柔軟性を一段と向上することができる。
【考案の効果】
【００１３】
この考案は、第一梯子の下端に、この下端を回動中心として回動する第一延長梯子を連設した構成を採用した。この構成によると、脚立の立設時において、第一梯子に対して第一連設部材が回動するのを防止して、脚立を安定的に立設することができる。
【図面の簡単な説明】
【００１４】
【図１】この考案に係る脚立の一実施形態を示す側面図
【図２】図１に示す脚立の斜視図
【図３】図１に示す脚立において、両延長梯子を閉じるとともに、両梯子を閉じた状態を示す側面図
【図４】図１に示す脚立において、第一延長梯子のみ開いた状態を示す側面図
【図５】図１に示す脚立において、第二延長梯子のみ開いた状態を示す側面図
【考案を実施するための形態】
【００１５】
この考案に係る脚立の一実施形態を図１から図５に示す。この脚立は、庭石が置かれて起伏のある庭や、山の斜面に位置する果樹園等のように傾斜がある地面Ｇでの使用に好適なものであって、第一梯子１、第二梯子２、第一延長梯子３、及び、第二延長梯子４を主要な構成要素としている。この実施形態においては、両梯子１、２及び両延長梯子３、４の素材として、比較的安価かつ入手が容易で加工しやすい木材を使用したが、これは一例であって、アルミニウム等の他の素材に適宜変更することもできる。
【００１６】
第一梯子１及び第二梯子２は、左右一対の支柱１ａ、２ａの間に、使用者が足を掛ける複数の踏桟１ｂ、２ｂを設けた形状をしている。両梯子１、２の上端には、それぞれ天板５ａ、５ｂが設けられている。この天板５ａ、５ｂ同士を蝶番６で同一面状に連設することによって、両梯子１、２が側面視三角状に開いた状態（使用状態）（図１等参照）と、両梯子１、２が平行に沿うように閉じた状態（収納状態）（図３参照）との間で、自在に変更し得るようになっている。両梯子１、２は、ほぼ同じ長さである。両延長梯子３、４を閉じた状態で両梯子１、２を開いて、水平な地面Ｇに立設すると、側面視二等辺三角形状の安定した立設状態を維持することができる（図１参照）。
【００１７】
両梯子１、２の間には開き止め部材７が設けられている。この開き止め部材７の一端側は第一梯子１側に、他端側は第二梯子２側にそれぞれ接続されている。両梯子１、２を閉じた状態では、開き止め部材７は、くの字形に折り畳まれた状態となっている一方で、両梯子１、２を開くと、開き止め部材７が一直線状に開いた状態となって、所定の角度以上、両梯子１、２が開くのを防止することができる。この開き止め部材７の形状は例示に過ぎず、同様の開き止め作用を有する他の部材で代替することもできる。
【００１８】
第一延長梯子３は、第一梯子１と同様に、左右一対の支柱３ａの間に踏桟３ｂを設けた形状をしている。第一梯子１を構成する支柱１ａの内側面（第二梯子２に臨む面）の下端部と、第一延長梯子３を構成する支柱３ａの内側面（この第一延長梯子３を開状態としたときに第二梯子２に臨む面）の上端部との間には、蝶番８が介在して設けられている。この蝶番８によって、第一梯子１の下端を回動中心として、第一延長梯子３を第一梯子１と第二梯子２との間に収納されるように回動することができる。
【００１９】
第二延長梯子４は、第一延長梯子３と同様に、左右一対の支柱４ａの間に踏桟４ｂを設けた形状をしている。第二梯子２を構成する支柱２ａの内側面（第一梯子１に臨む面）の下端部と、第二延長梯子４を構成する支柱４ａの内側面（この第二延長梯子４を開状態としたときに第一梯子１に臨む面）の上端部との間には、蝶番９が介在して設けられている。この蝶番９によって、第二梯子２の下端を回動中心として、第二延長梯子４を第一梯子１と第二梯子２との間に収納されるように回動することができる。
【００２０】
第一梯子１及び第二梯子２には、第一延長梯子３及び第二延長梯子４を収納状態で固定するための固定治具１０がそれぞれ設けられている。この固定治具１０を、第一延長梯子３及び第二延長梯子４に設けられた係止治具１１にそれぞれ係止することによって、両延長梯子３、４を確実に収納することができる。
【００２１】
また、第一梯子１及び第二梯子２には、これらの両梯子１、２に対して、第一延長梯子３及び第二延長梯子４を開いた状態で固定するための留め具１２が設けられている。この留め具１２は、コの字形の金属部材であって、両延長梯子３、４を開いた状態において、その一端側が第一梯子１及び第二梯子２に形成された挿し込み穴に挿し込まれる一方で、他端側が第一延長梯子３及び第二延長梯子４に形成された挿し込み穴に挿し込まれる。この挿し込み穴は、第一梯子１及び第二梯子２の外側面（連設された第一梯子１又は第二梯子２に臨む面とは反対側の面）、及び、第一延長梯子３及び第二延長梯子４の外側面（第一延長梯子３及び第二延長梯子４を開状態としたときに第一梯子１又は第二梯子２に臨む面とは反対側の面）に形成されている。このように、留め具１２を設けることにより、第一延長梯子３及び第二延長梯子４を開いた状態で、脚立を安定的に地面Ｇに立設することができる。
【００２２】
この留め具１２は、第一延長梯子３及び第二延長梯子４を閉じた状態とする際には、前記他端側を第一梯子１及び第二梯子２に形成された保持穴に挿し込んだ状態としておくのが好ましい。このようにすれば、第一延長梯子３及び第二延長梯子４の閉状態において、この留め具１２がぶら下がった状態で脚立の持ち運びの邪魔となったり、留め具１２を紛失したりするのを防止することができる。この留め具１２の形状及び素材は例示に過ぎず、同様の作用を有する他の形状及び他の素材の部材で代替することができる。
【００２３】
上記において説明したように、第一延長梯子３を第一梯子１に、及び、第二延長梯子４を第二梯子２にそれぞれ連設して、第一延長梯子３及び第二延長梯子４を回動可能とすることにより、各延長梯子３、４を開状態として脚立を立設したときの十分な安定性を確保することができる。
【００２４】
すなわち、脚立及びその使用者の自重は、主に第一梯子１及び第一延長梯子３、並びに、第二梯子２及び第二延長梯子４と同軸に作用するが、第一梯子１と第二梯子２との間の開き角の大きさに対応して、第一梯子１に対して第一延長梯子３を外向きに、及び、第二梯子２に対して第二延長梯子４を外向きにそれぞれ回動させる自重成分も生じる。上記のように、蝶番８、９を第一梯子１及び第二梯子２の内側面に設けて、第一延長部材３及び第二延長部材４が回動可能な方向を内向きに限定する（外向きに回動しないようにする）ことによって、第一延長梯子３及び第二延長梯子４を外向きに回動させる自重成分が作用したとしても、この第一延長梯子３及び第二延長梯子４の回動を阻止して、脚立の安定した立設状態を維持することができる。
【００２５】
上述したように、第一梯子１と第二梯子２はほぼ同じ長さであるのに対し、第一延長梯子３は第二延長梯子４よりも長い。このように、両延長梯子３、４の長さを異ならせることにより、様々な傾斜状態の地面Ｇに柔軟に対応することが可能となる。
【００２６】
すなわち、図４に示すように、第一延長梯子３を開状態とする一方で、第二延長梯子４を閉状態とした場合、左右の梯子の長さの差（第一梯子１及び第一延長梯子３の長さの和と、第二梯子２の長さとの差）を最大にすることができる。このように、両延長梯子３、４を開閉することにより、地面Ｇに比較的大きい段差が生じているときでも、脚立を安定的に立設することができる。その一方で、図５に示すように、第一延長梯子３を閉状態とする一方で、第二延長梯子４を開状態とした場合、左右の梯子の長さの差（第一梯子１と、第二梯子２及び第二延長梯子４の長さの和の差）を図４の場合と比較して小さくすることができる。このように、両延長梯子３、４の開閉状態を適宜変更することによって、地面Ｇの段差が比較的小さいときでも、脚立を安定的に立設することができる。
【００２７】
上記の実施形態においては、第一梯子１及び第二梯子２を同じ長さとするとともに、第一延長梯子３と第二延長梯子４の長さを異ならせた構成について例示したが、第一梯子１と第二梯子２の長さを異ならせるとともに、第一延長梯子３及び第二延長梯子４を同じ長さとした構成とすることもできる。
【００２８】
さらに、第一梯子１と第二梯子２の長さを異ならせるとともに、第一延長梯子３と第二延長梯子４の長さも異ならせた構成とすることもできる。このとき、第一延長梯子３と第二延長梯子４をいずれも開状態としたときに、左右の梯子の長さが同じ（第一梯子１と第一延長梯子３の長さの和と、第二梯子２と第二延長梯子４の長さの和が同じ）構成とすることもできる。
【００２９】
あるいは、第一梯子１に第一延長梯子３を連設する一方で、第二梯子２には第二延長梯子４を設けない構成とすることもできる。このように、両梯子１、２及び両延長梯子３、４の長さを適宜変更したり、第一梯子１にのみ第一延長梯子３を設けたりすることによって、様々な傾斜状態の地面Ｇに柔軟に対応することが可能となる。
【００３０】
また、上記の実施形態においては、図１等に示すように短尺の天板５ａ、５ｂを採用して、立設したときに側面視三角形状となる脚立について示したが、長尺の天板５ａ、５ｂを採用することによって、立設したときに側面視台形状となる構成とすることもできる。このようにすれば、単なる脚立としてのみならず、踏み台として活用することもできる。
【００３１】
上記の実施形態は、あくまでも本願考案に係る脚立の例示に過ぎず、梯子の長さを延長可能とした脚立において、その立設安定性を高める、という本願考案の課題を解決し得る限りにおいて、各構成部材の形状に適宜変更を加えることもできる。
【符号の説明】
【００３２】
１  第一梯子
１ａ  支柱
１ｂ  踏桟
２  第二梯子
２ａ  支柱
２ｂ  踏桟
３  第一延長梯子
４  第二延長梯子
５ａ、５ｂ  天板
６、８、９  蝶番
７  開き止め部材
１０  固定治具
１１  係止治具
１２  留め具
Ｇ  地面
【図１】
0003206598.tif 000003
【図２】
0003206598.tif 000004
【図３】
0003206598.tif 000005
【図４】
0003206598.tif 000006
【図５】
0003206598.tif 000007